(57)【要約】【課題】従来のカメラでは、背景ぼかし撮影時に、ぼけの量を予め設定しておく必要があり、背景などの主被写体以外のぼけ味は、実際に撮影してみないとわからないため、予めぼけの量を設定するやり方では、所望のぼけ味でなかった場合に、再度、設定を変えてから撮影を行う必要があり、煩雑であるとともにシャッタチャンスを逃すという問題点がある。【解決手段】本発明の携帯電話端末装置は、カメラと、タッチパネルと、タッチ検出部と、撮影タイミング生成部と、タッチした位置の検出を行う位置検出部と、ぼかし位置算出部と、タッチしていた期間を検出する期間検出部と、ぼかし量算出部と、ぼかし処理部を備える。本構成によって、ユーザーがタッチパネル上で指定したタイミングで撮影を行い、タッチ位置にある被写体を主被写体として背景ぼかし撮影が可能となり、また、タッチしている時間に応じてぼかし量を指定することができる。【選択図】図１
2013183244.tif 000002
【特許請求の範囲】
【請求項１】
静止画像を撮影するカメラと、背景をぼかして撮影する機能と、タッチパネルとを有し、タッチ操作によって、撮影を行う撮像装置であって、
前記タッチパネルにタッチしたかを検出するタッチ検出部と、前記検出結果を元に撮影するタイミングを算出するタイミング生成部と、
前記タッチパネルにタッチした位置を検出する位置検出部と、前記検出された位置を元にぼかす位置を決定するぼかし位置算出部と、
前記タッチパネルにタッチしている期間を検出する期間検出部と、前記検出された期間を元にぼかし量を決定するぼかし量算出部と、
前記ぼかし位置と前記ぼかし量を元に前記タイミングで撮影された画像にぼかし処理を施すぼかし処理部とを有する撮像装置。
【請求項２】
予め時間に関する時間閾値と前記時間閾値に対応したぼかし量を設け、前記期間検出部は、タッチ中に検出された期間が前記時間閾値を超えた時点で時間閾値に対応したぼかし量でぼかし処理を施した画像を表示する請求項１記載の撮像装置。
【請求項３】
予め複数のぼかし量の段階を設け、タッチ中のぼかし量の段階と最大の段階とを表示する請求項２記載の撮像装置。
【請求項４】
前記請求項１記載の撮像装置を搭載した携帯電話端末装置。
【発明の詳細な説明】
【技術分野】
【０００１】
本技術は、カメラ撮影技術に関するものであり、特にタッチパネルディスプレイを搭載し、背景をぼかして撮影を行うカメラを搭載した装置に関するものである。
【背景技術】
【０００２】
コンパクトデジタルカメラや携帯電話端末は、携帯性を向上させるために小型化されており、これに伴い、搭載されるカメラモジュールも小型のものが採用されている。小型カメラは、撮像素子やレンズも小さくなるため、被写界深度が深くなり、近景から遠景までフォーカスの合った写真を撮影することができる。一方、近くの被写体にフォーカスを合わせ、背景だけをぼかすといった撮影はできなくなってしまう。
【０００３】
このような背景ぼかし撮影を小型カメラでも実現するための技術として特許文献１がある。これは、各被写体までの距離を測定し、主被写体を検出した後、主被写体とその他の被写体の距離の差に応じて、ぼかす領域を決定するというものである。また、ぼけの量を調節できるように任意に設定可能である。
【先行技術文献】
【特許文献】
【０００４】
【特許文献１】特開平11-266388号公報
【発明の概要】
【発明が解決しようとする課題】
【０００５】
しかしながら、前記従来のカメラでは、ぼけの量を予め設定しておく必要があった。背景ぼかし撮影は、主被写体以外のぼけ味は、実際に撮影してみないとわからないため、予めぼけの量を設定するやり方では、所望のぼけ味でなかった場合に、再度、設定を変えてから撮影を行う必要があり、煩雑であるとともにシャッタチャンスを逃すという問題点があった。また、主被写体を距離に基づいて検出しており、ユーザーの意図した被写体が主被写体とならない可能性があるという問題点もある。
【０００６】
本発明は上記実情に鑑みて為されたもので、フォーカスをあてる主被写体をユーザーが任意に指定でき、ぼけ量の指定を容易に行えることを目的とする。
【課題を解決するための手段】
【０００７】
前記従来の課題を解決するために、本発明の携帯電話端末装置は、カメラと、タッチパネルと、タッチ検出部と、タイミング生成部と、タッチした位置の検出を行う位置検出部と、ぼかし位置算出部と、タッチしていた期間を検出する期間検出部と、ぼかし量算出部と、ぼかし処理部を備える。
【０００８】
本構成によって、ユーザーがタッチパネル上で指定した位置を主被写体として背景ぼかし撮影が可能となる。また、タッチパネル上でタッチしている時間に応じてぼかし量を指定することができる。
【０００９】
また、本発明の携帯電話端末装置は、予め定められた時間と、その時間に応じたぼかし量を設定しておき、期間検出部で検出された期間が、予め定められた時間を越えたかどうかを判定する時間判定部と、越えたと判断された時に、対応するぼかし量でぼかし処理を行うよう指示するぼかし指示部とを備える。
【００１０】
本構成によって、タッチしている時間に応じてぼかし量が変わった画像を目で見て確認できるようになる。
【００１１】
また、本発明の携帯電話端末装置は、予め複数の定められた時間と、その時間に応じたぼかし段階を設定しておき、タッチしている時間に応じた段階と最大の段階を表示する段階表示部を備える。
【００１２】
本構成によって、現在のぼかし段階が何段階目であるかがわかり、ユーザが画面にタッチしている時間を決める目安とすることができるようになる。
【発明の効果】
【００１３】
本発明の携帯電話端末装置によれば、撮影のタイミングと主被写体の指定とぼかし量を１つのタッチ操作で実現することが可能となり、撮影が非常に容易となる。
【００１４】
また、本発明の携帯電話端末装置によれば、タッチしている時間によって、ぼかしがかかった画像が表示されるので、ぼけ味を確認しながら撮影が可能となる。
【００１５】
また、本発明の携帯電話端末装置によれば、タッチ時間に応じて、現在のぼかし量が度何段階目であるかがわかり、最大のぼかし量までの目安がわかりタッチしている時間を決める目安となり、使い勝手が向上する。
【図面の簡単な説明】
【００１６】
【図１】本発明の実施の形態１における撮像装置のブロック図
【図２】本発明の実施の形態２における撮像装置のブロック図
【図３】本発明の実施の形態３における撮像装置のブロック図
【発明を実施するための形態】
【００１７】
以下、本発明を実施するための形態について、図面を参照しながら説明する。
【００１８】
（実施の形態１）
（実施の形態１の構成の説明）
まず、本発明の実施の形態１における撮像装置の構成について、図１を使って説明する。撮像装置は、タッチパネルディスプレイ１０１と、タッチ検出部１０２と、タイミング生成部１０３と、カメラ１０４と、第１メモリ１０５と、位置検出部１０６と、ぼかし位置生成部１０７、第２メモリ１０８と、時間検出部１０９と、ぼかし量算出部１１０と、ぼかし処理部１１１とから構成されている。
【００１９】
次に、本発明の実施の形態１における撮像装置の各部について具体的に説明する。タッチパネルディスプレイ１０１は、カメラで撮影した画像を表示できるデバイスであり、さらに、画面で触れた位置等を検出できるものである。
【００２０】
タッチ検出部１０２は、タッチパネルディスプレイへのタッチの有無を検出する。
【００２１】
タイミング生成部１０３は、タッチを検出してからカメラのシャッタを切るタイミングを生成する。
【００２２】
カメラ１０４は、センサやレンズ等が一体化されたカメラモジュールである。
【００２３】
第１メモリ１０５は、撮影されたデータを蓄積するメモリである。
【００２４】
位置検出部１０６は、タッチ検出部１０２でタッチパネルディスプレイに指等が触れたと判定された時に、それが画面のどの位置であるかを検出するものである。
【００２５】
ぼかし位置生成部１０７は、タッチされた位置の主被写体以外のぼかす位置を算出する。
【００２６】
第２メモリ１０８は、ぼかし位置生成部１０７で算出された結果を格納するメモリである。
【００２７】
時間検出部１０９は、指等がタッチパネルにタッチしている期間を検出する。
【００２８】
ぼかし量算出部１１０は、時間検出部１０９で検出された期間を元に、主被写体以外の領域をどの程度ぼかすかを算出する。
【００２９】
ぼかし処理部１１１は、ぼかし量算出部により算出されたぼかし量で、第２メモリ１０８のぼかしマップに応じて画像をぼかす処理を行う。
【００３０】
（実施の形態１の動作の説明）
次に、本発明の実施の形態１における撮像装置の動作について図１を使って説明する。図１は、ブロック図とデータの流れを示したものである。
【００３１】
タッチパネルディスプレイ１０１に対して、ユーザーが指等でタッチをした時に、タッチ検出部１０２は、それを検知し、検知した旨をタイミング生成部１０３、位置検出部１０６、時間検出部１０９に通知する。また、指等がタッチパネルから離れた時もこれを検知し、時間検出部１０９に通知する。
【００３２】
タイミング生成部１０３は、通知を受けたらカメラに対して、静止画として画像を取り込むよう指示する。これは、通知を受けたら即座に指示を出すように実装してもよいし、カメラのAF(オートフォーカス)機能を使い、焦点が合ってから指示を出すように実装してもよい。また、タッチした位置の情報とともにタッチ位置に焦点を合わせるようにしてから指示を出すようにしてもよい。取りこまれた画像は、第１メモリ１０５に格納される。
【００３３】
位置検出部１０６は、タッチ検出部１０２から通知を受けると、タッチされた位置を検出し、ぼかし位置生成部１０７にその位置を通知する。
【００３４】
ぼかし位置生成部１０７は、位置の通知を受けたら、その位置にある被写体を主被写体と認識し、焦点をあてる位置とし、さらに主被写体の部分をぼかし位置として第２メモリ１０８にぼかしマップとして出力する。ぼかしマップは、たとえば、撮影した画像が横1920画素、縦1080画素のサイズであった場合、ぼかしマップも1920×1080個のデータとし、撮影した画像の主被写体の部分をぼかさないとして該当する位置のデータを０として記録、ぼかす位置に該当するデータを１として記録する。タッチされた位置は、主被写体の一部であり、主被写体全体ではないと想定される。よって、主被写体全体が画面内のどこまでかという範囲を推定もしくは測定して、主被写体全体の位置を特定する。主被写体の範囲の推定・測定については、色や明るさの情報や構図の推定等により行う方法があり、様々な手法が提案されているが、ここではその手段は問わない。また、主被写体の範囲以外を一様にぼかすように算出することも可能であるし、主被写体の他の被写体をぼかし、さらにその後ろにある空や建物などはさらにぼかすというように複数の領域とぼかし度を変えるように算出しても良い。この場合、前述のぼかしマップは、主被写体の他の被写体に対しては、値１を、さらにその後ろにある空や建物などは値２という記録の仕方により実現が可能である。
【００３５】
時間検出部１０９は、タッチ検出部１０２からタッチされた通知を受けると、そこを起点としてタッチされている期間の計測を開始し、タッチ検出部１０２から指が離れた通知を受けると計測を完了する。計測した時間をぼかし量算出部１１０に通知する。
【００３６】
ぼかし量算出部１１０は、通知された時間に応じてぼかし量を決定する。ぼかし処理は、ぼかし領域に含まれる画素（ドット）に対するローパスフィルタ処理により行われ、ぼかし量は、ローパスフィルタのフィルタ係数により決定される。処理対象画素の値をA、左の画素の値をB、右の画素の値をC、対象画素の処理後の値A‘とし、ぼかし量を強・中・弱の時のフィルタ係数は、以下のような例で実現できる。
【００３７】
ぼかし強：  A‘  ＝  (A*2 + B + C)/4
ぼかし中：  A‘  ＝  (A*6 + B + C)/8
ぼかし弱：  A‘  ＝  (A*14 + B + C)/16
たとえば、通知された期間が長いほど、強くぼかすようにする場合、通知された期間が１秒であれば上記のぼかし弱を選択し、2秒であればぼかし中、3秒以上であればぼかし強を選択する。ぼかし量算出部１１０は、上記の計算における係数（上記の14、６、２、１等の数値）を出力する。
【００３８】
ぼかし処理部１１１は、ぼかし量算出部１１０で決定されたぼかし量と、第２メモリ１０８にあるぼかしマップを元に、第１メモリ１０５に格納された撮影データに対して、ぼかし処理を実施する。ぼかさない位置の画素はそのまま出力し、ぼかす位置の画素はローパスフィルタ処理を施して出力を行う。
【００３９】
（実施の形態１の作用・効果の説明）
本発明の実施の形態１における撮像装置によれば、背景ぼかし撮影において、シャッタタイミングとぼかし位置とぼかし量の指定を１つの操作で可能となり、操作性が向上する。
【００４０】
（実施の形態２）
本発明の実施の形態２について説明する。本発明の実施の形態２における撮像装置は、ぼけ量を確認しながら撮影ができるものである。実施の形態２において特に言及しない点については、実施の形態１と同様である。
【００４１】
（実施の形態２の構成の説明）
図２は、本発明の実施の形態２における撮像装置の構成を示すブロック図である。図２において、図１と同じ構成要素については同じ符号を用い、説明を省略する。
【００４２】
図２において、時間検出部２０１は、時間検出部１０９と基本的な動作は同じであるが、１つまたは複数の閾値を持ち、検出された時間がそれぞれの閾値を超えた時点で、都度、ぼかし量算出部１１０に通知する点が異なっている。たとえば、予め定めた閾値を１秒、２秒、３秒とし、検出した時間が１秒を越えた時点でぼかし量算出部１１０に通知し、ぼかし量算出部１１０は、１秒に対応するぼけ強度（たとえば、前述のぼかし量弱）を算出する。２秒の場合は、ぼかし量中、３秒以上の場合は、ぼかし量強を算出する。これにより、ユーザーがタッチしている期間に応じて、都度、ぼかし量が変化し、ぼけ味を確認できるため、容易にぼかし量を指定・確認でき、使い勝手も良くなる効果がある
（実施の形態３の構成の説明）
図３は、本発明の実施の形態３における撮像装置の構成を示すブロック図である。図３において、図１と同じ構成要素については同じ符号を用い、説明を省略する。
【００４３】
図３において、時間検出部３０１は、時間検出部１０９と基本的な動作は同じであるが、予め定めた閾値を超えた時点で、都度、現在のぼけ量と最大のぼけ量の段階を表示する点が異なる。
【００４４】
（実施の形態３の作用・効果の説明）
本発明の実施の形態３における撮影装置によれば、タッチ期間中のぼけ量が最大に対してどの程度かがわかり、タッチしている期間を決定する目安となり、使い勝手が向上する。
【産業上の利用可能性】
【００４５】
本発明によれば、タッチパネルを利用した背景ぼかし撮影を行う時に、容易な操作で撮影が可能となる。本発明は、デジタルスチルカメラやカメラ機能を搭載した携帯電話端末などに有用である。
【符号の説明】
【００４６】
１０１    タッチパネルディスプレイ
１０２    タッチ検出部
１０３    タイミング生成部
１０４    カメラ
１０５    第１メモリ
１０６    位置検出部
１０７    ぼかし位置生成部
１０８    第２メモリ
１０９    時間検出部
１１０    ぼかし量算出部
１１１    ぼかし処理部
２０１    時間検出部
３０１    時間検出部
【図１】
2013183244.tif 000003
【図２】
2013183244.tif 000004
【図３】
2013183244.tif 000005